(57)【要約】【課題】冷蔵庫本体の側面板に通風用開口を設けるようにした冷蔵庫において、外観を損なったり、通風用開口の開口面積に制約を受けることなく冷蔵庫の放熱性と強度の信頼性を十分に確保できる冷蔵庫を提供する。【解決手段】冷蔵庫本体１の背面側下部に設けられ、冷蔵庫本体１の底板６及び側面板３、４と、圧縮機１５、送風機１４及び凝縮器１３を搭載したベース板１６と、背面を覆う機械室カバー１７とで囲まれて構成された機械室１２と、機械室１２に位置する冷蔵庫本体１の側面板３、４に形成された通風用開口２１、２２と、機械室１２の外周縁に沿って、冷蔵庫本体１の側面板３、４の内側に取付けられた補強用アングル２８と、通風用開口２１、２２の外周を囲むように冷蔵庫本体１の側面板３、４の内側に取付けられた補強板２４とを備え、補強板２４の周縁部が補強用アングル２８に固定されている。【選択図】図３
2015001344.tif 000002
【特許請求の範囲】
【請求項１】
冷蔵庫本体の背面側下部に設けられ、前記冷蔵庫本体の底板及び側面板と、圧縮機、送風機及び凝縮器を搭載したベース板と、背面を覆う機械室カバーとで囲まれて構成された機械室と、
前記機械室に位置する前記冷蔵庫本体の側面板に形成された通風用開口と、
前記機械室の外周縁に沿って、前記冷蔵庫本体の側面板の内側に取付けられた補強用アングルと、
前記通風用開口の外周を囲むように前記冷蔵庫本体の側面板の内側に取付けられた補強板とを備え、
前記補強板はその周縁部が前記補強用アングルに固定されていることを特徴とする冷蔵庫。
【請求項２】
前記補強板は前記機械室に位置する前記冷蔵庫本体の側面板の前記通風用開口を除く全体を内側から覆う大きさを有していることを特徴とする請求項１に記載の冷蔵庫。
【請求項３】
前記補強板は前記機械室の側面よりも上方及び前方に延在した状態で前記冷蔵庫本体の側面板の内側に取付けられていることを特徴とする請求項２に記載の冷蔵庫。
【発明の詳細な説明】
【技術分野】
【０００１】
本発明は、冷蔵庫本体の背面側下部に設けられた機械室に、圧縮機、送風機及び凝縮器を配置し、機械室に位置する冷蔵庫本体の側面板に通風用開口を有する冷蔵庫の放熱性と強度の向上に関するものである。
【背景技術】
【０００２】
従来、この種の冷蔵庫は、断熱性を有する冷蔵庫本体の背面側下部に機械室が設けられており、機械室は冷蔵庫本体の底板及び側面板と、圧縮機、送風機及び凝縮器を搭載したベース板と、背面を覆う機械室カバーとで囲まれて構成されている。また、機械室における通風性を良好にして、圧縮機及び凝縮器の放熱性を高めるために、機械室に位置する冷蔵庫本体の側面板に通風用開口を設けるようにしたものがある（例えば、特許文献１参照。）。
【０００３】
しかしながら、冷蔵庫本体の側面板に通風用開口を設けると、その部分の機械的強度が低下し、長期の使用の間に側面板に歪が発生する心配があった。
【０００４】
そこで、機械室に位置する側面板に、機械室内方側へ窪んだ凹部を設け、この凹部に通風用開口を設けることにより、通風用開口を有する側面板の剛性を高め、冷蔵庫本体の強度低下を補うようにしたもの（例えば、特許文献２参照。）や、機械室に位置する側面板の下部から背部にわたって補強材を取付けるとともに、側面板に開口する通風用開口を補強材寄りに配置して冷蔵庫本体の強度低下を補うようにしたもの（例えば、特許文献３参照。）が提案されている。
【先行技術文献】
【特許文献】
【０００５】
【特許文献１】特開平８−２８５４３９号公報（第３−４頁、図１）
【特許文献２】特開２００３−１３０５３１号公報（第３−４頁、図１）
【特許文献３】特許第５０８１８８０号公報（第３−４頁、図１−図３）
【発明の概要】
【発明が解決しようとする課題】
【０００６】
特許文献２に記載の構造では、単に通風用開口の周囲を窪ませただけの構造であるため、冷蔵庫の強度の信頼性を確保するには十分といえず、凹部を形成することによって冷蔵庫の外観を損なう欠点があった。
【０００７】
特許文献３に記載の構造では、通風用開口を補強材寄りに配置するという制約があるため、通風用開口の開口面積を小さくしなければならず、冷蔵庫の放熱の信頼性を十分に確保できない問題があった。また、通風用開口を設ける側面板には冷蔵庫本体のみならず、圧縮機等を配置した機械室の荷重が掛るため、機械室に位置する側面板の一部に補強材を取付けるだけでは、冷蔵庫の強度の信頼性を十分に確保できない問題があった。
【０００８】
本発明は、冷蔵庫本体の背面側下部に設けられた機械室に、圧縮機、送風機及び凝縮器を配置し、機械室に位置する冷蔵庫本体の側面板に通風用開口を設けるようにした冷蔵庫において、外観を損なったり、通風用開口の開口面積に制約を受けることなく冷蔵庫の放熱性と強度の信頼性を十分に確保できるようにすることを目的とする。
【課題を解決するための手段】
【０００９】
本発明の冷蔵庫は、冷蔵庫本体の背面側下部に設けられ、前記冷蔵庫本体の底板及び側面板と、圧縮機、送風機及び凝縮器を搭載したベース板と、背面を覆う機械室カバーとで囲まれて構成された機械室と、前記機械室に位置する前記冷蔵庫本体の側面板に形成された通風用開口と、前記機械室の外周縁に沿って、前記冷蔵庫本体の側面板の内側に取付けられた補強用アングルと、前記通風用開口の外周を囲むように前記冷蔵庫本体の側面板の内側に取付けられた補強板とを備え、 前記補強板の周縁部が前記補強用アングルに固定されていることを特徴とする。
【発明の効果】
【００１０】
本発明の冷蔵庫では、機械室に位置する側面板に通風用開口を設け、通風用開口の外周を囲むように補強板を側面板の内側から取付ける。この補強板の周縁部は、機械室の外周縁に沿って、冷蔵庫本体の側面板の内側に取付けられた補強用アングルに固定される。
【００１１】
この構造により、開口の周囲の側面板を補強する補強板と、機械室の外周縁の側面板を補強する補強用アングルとが一体化された強固な補強構造となる。そして、冷蔵庫本体や機械室の荷重が掛る側面板に通風用開口を設けたにもかかわらず、冷蔵庫本体の側面板に歪が発生しないようにでき、冷蔵庫の強度の信頼性を十分に確保できることになる。
【００１２】
しかも、このような補強構造は冷蔵庫の外から見えないので、冷蔵庫の外観を損なう心配がなく、通風用開口の位置や大きさに制約を受けることがない。そして、通風用開口を適度な大きさとし、かつ、通風に適した位置に設定して機械室内の通風を良好にし、冷蔵庫の放熱性を十分に確保して消費電力を低減することができる。
【００１３】
また、補強板は機械室に位置する冷蔵庫本体の側面板の全体（但し、通風用開口を除く）を内側から覆う大きさに設定する。この構造により、機械室に位置する側面板全体が補強板と補強用アングルとによって内側から補強され、より強固な補強構造となる。
【００１４】
このため、通風用開口を通風に適した機械室側面の中央位置とし、かつ、通風用開口の高さを機械室の高さの２分の１程度に設定して通風用開口の開口面積を十分に確保することができ、冷蔵庫の放熱性及び強度の信頼性が大幅に向上する。
【００１５】
さらにまた、補強板は機械室の側面よりも上方及び前方に延在した状態で、冷蔵庫本体の側面板の内側に取付けられている。この構造により、側面板の機械室に沿った部分が補強板によって補強され、冷蔵庫本体の外箱と内箱との間に注入される断熱材の発泡圧力によって側面板の機械室に沿った部分が膨出し、側面板の外観を損なうことも防止できる。
【図面の簡単な説明】
【００１６】
【図１】本発明の実施形態に係る冷蔵庫の概略構造を説明する図である。
【図２】本発明の実施形態に係る冷蔵庫の概略構造を説明する図である。
【図３】本発明の実施形態に係る冷蔵庫の要部概略構造を説明する図である。
【図４】本発明の実施形態に係る冷蔵庫の補強構造を説明する図である。
【発明を実施するための形態】
【００１７】
以下、本発明の実施形態に係る冷蔵庫を図面に基づき詳細に説明する。
【００１８】
図１ないし図４は本発明の実施形態に係る冷蔵庫を示すものであり、図１は本発明の実施形態に係る冷蔵庫の概略構造を示す背面側から見た斜視図である。図２は図１の冷蔵庫の機械室部分を含む横断面図である。図３は図１の冷蔵庫の機械室カバーを外した状態を示す要部拡大斜視図である。また、図４は図1の冷蔵庫の補強構造を説明するための分解斜視図である。
【００１９】
冷蔵庫本体１は、図１ないし図３に示すように、外面を形成する天板２、天板２と一体の側面板３、４、背面板５、底板６等よりなる外箱７と、貯蔵室８を形成する内箱９と、外箱７及び内箱９間に充填された発泡ウレタンフォームなどの断熱材１０とから構成されている。外箱７は鋼板等の厚さが０．４〜０．５ｍｍの金属板で構成され、内箱９はＡＢＳ樹脂などの合成樹脂で構成されている。冷蔵庫本体１の前面には、複数の貯蔵室８を開閉する複数の扉１１が設けられている。
【００２０】
機械室１２は、本体背面側下部に位置しており、底板６と、凝縮器１３、送風機１４及び圧縮機１５を搭載したベース板１６と、背面を覆う機械室カバー１７と、冷蔵庫本体１の側面板３、４とで囲まれて構成されている。この機械室１２は、冷蔵庫本体１の横幅全体にわたって横長の空間に構成されている。ベース板１６には、凝縮器１３、送風機１４及び圧縮機１５がこの順で機械室２の長手方向（左右方向）に配置されている。
【００２１】
送風機１４は機械室１２内部を左右に仕切る仕切り板１８の中央開口にファン１４Ａを臨ませて取付けられている。また、機械室カバー１７の両端部にはスリット状の通風口１９、２０が縦（上下）に並べて複数設けられている。
【００２２】
機械室１２に位置する側面板３、４には長方形の通風用開口２１、２２が設けられている。また、通風用開口２１、２２の外周を囲むように、通風用開口２１、２２と同じ形状で、同じ大きさの開口２３を有する補強板２４が側面板３、４の内側にそれぞれ取付けられている。
【００２３】
補強板２４は、図３及び図４に示すように、機械室１２の側面と同じ五角形状であり、かつ、機械室に位置する冷蔵庫本体１の側面板３、４の全体（但し、通風用開口２１，２２を除く）を内側から覆うように機械室１２の側面よりも大きくしてある。また、補強板２４は厚さが１．２ｍｍで、側面板３、４よりも厚い鋼板等の金属板でできている。
【００２４】
補強板２４を機械室１２の側面よりも大きめにし、機械室１２の側面よりも上方及び前方へ延在した状態で側面板３、４の内側に取り付けておくことは、機械室１２に位置する側面板３、４の補強だけでなく、側面板３、４の美観向上も兼ねている。
【００２５】
すなわち、冷蔵庫本体１の外箱７と内箱９との間に断熱材１０を発泡成形する際に、側面板３、４の機械室１２に沿った部分が外側に膨出してラインを形成し、側面板３、４の外観を損なう心配がある。そこで、側面板３、４の機械室１２に沿った部分を補強板２４で覆うことにより、この部分も補強して、断熱材１０の発泡成形に伴うラインが側面板３、４に現れないようにしている。
【００２６】
通風用開口２１、２２には化粧カバー２５が外側からそれぞれ取付けられている。化粧カバー２５は前後に傾斜した複数の横ルーバー２６を有するとともに、複数の横ルーバー２６間に通風口２７を形成したものであり、側面板３、４の通風用開口２１、２２が外から直接見えないようにしている。
【００２７】
冷蔵庫本体１の側面板３、４には、図３及び図４に示すように、端部に内側折り曲げ片３Ａ、４Ａが一体形成されている。そして、側面板３、４の内側折り曲げ片３Ａ、４Ａの下部と背部には、機械室１２の外周縁に沿うように、Ｌ型の補強用アングル２８がビスやスポット溶接でそれぞれ固定して取付けられている。
【００２８】
上述した補強板２４はその周縁部（少なくとも下部及び背部）が補強用アングル２８にスポット溶接によって固定されており、補強板２４と補強用アングル２８とは連結した状態で、機械室１２に位置する側面板３、４全体を内側から補強している。また、側面板３、４に取付けられた補強用アングル２８には、機械室１２のベース板１６の両端部がビス等により取付けられている。
【００２９】
なお、通風用開口２１、２２は、機械室１２の側面の中央に位置し、機械室１２内での通風が偏りなく行われるようにしている。そして、通風用開口２１、２２の高さは１０５ｍｍであり、機械室１２の高さ（ベース板１６から機械室１２の上壁を形成する底板６までの高さ）の約２００ｍｍに対して約２分の１に設定され、十分な開口面積が確保されている。また、冷蔵庫本体１の底板６と機械室１２のベース板１６には脚体２９、３０が取付けられており、冷蔵庫本体1及び機械室１２と設置床面との間に隙間が確保されている。
【００３０】
圧縮機１５及び凝縮器１３は、図示しない蒸発器とともに、冷凍サイクルを構成している。冷凍サイクルは、圧縮機１５、送風機１４等を運転させることにより、蒸発器で冷媒を蒸発させて貯蔵室８の空気を冷却し、凝縮器１３で冷媒を凝縮させて貯蔵室８の空気から奪った熱を外部に放熱させるようにしている。
【００３１】
機械室１２に配置された送風機１４を運転すると、側面板３の通風用開口２１及び機械室カバー１７の通風口１９から機械室１２に空気が流入し、送風機１４の吸込み空気によって凝縮器１３が冷却される。また、送風機１４の吐出側には圧縮機１５が配置されているため、送風機１４の吐出空気により圧縮機１５が冷却される。このようにして、凝縮器１３及び圧縮機１５を冷却して温まった空気は側面板４の通風用開口２２及び機械室カバー１７の通風口２０から流出し、機械室１２の放熱が行われることになる。
【００３２】
本発明の実施態様の冷蔵庫では、機械室１２に位置する側面板３、４に通風用開口２１、２２を設け、通風用開口２１、２２の外周を囲むように補強板２４を側面板３、４の内側から取付ける。この補強板２４の周縁部を、機械室１２の外周縁に沿って、冷蔵庫本体１の側面板３、４の内側に取付けられた補強用アングル２８に固定するようにしている。
【００３３】
このため、通風用開口２１、２２の周囲の側面板３、４を補強する補強板２４と、機械室１２の外周縁の側面板３、４を補強する補強用アングル２８とが一体化された強固な補強構造となる。冷蔵庫本体１や機械室１２の荷重が掛る側面板３、４に通風用開口２１、２２を設けてあるにもかかわらず、冷蔵庫本体１の側面板３、４に歪が発生しないようにでき、冷蔵庫の強度の信頼性を十分に確保できる。
【００３４】
また、このような補強構造は冷蔵庫の外から見えることがなく、しかも、通風用開口２１、２２が化粧カバー２５で覆われているので、冷蔵庫の外観を損なう心配がない。
【００３５】
また、補強材２４と補強用アングル２８を連結した補強構造であるので、通風用開口２１、２２の位置や大きさに制約を受けることがなくなり、通風用開口２１、２２が適度な開口面積に設定される。そして、通風用開口２１、２２が通風に適した位置に設定されることで、機械室１２内の通風を良好にし、冷蔵庫の放熱性を十分に確保して消費電力を低減することができる。
【００３６】
さらに、補強板２４は機械室１２の側面と同じ五角形状で、かつ、機械室１２に位置する冷蔵庫本体１の側面板３，４の通風用開口２１、２２を除くほぼ全体を内側から覆う大きさを有している。そして、通風用開口２１、２２は機械室１２の側面の中央位置に設定され、通風用開口２１、２２の高さは機械室１２の高さの約２分の１に設定されている。
【００３７】
この構造により、機械室１２の側面に位置する側面板３、４全体が補強板２４と補強用アングル２６とによって内側からより強固に補強され、通風用開口２１、２２を有する機械室１２部分の側面板３、４の強度を十分に保つことができる。そして、通風用開口２１、２２による通風に偏りがないようにしつつ、開口面積を十分に確保して冷蔵庫の放熱性を高めることができる。このため、冷蔵庫の放熱性及び強度の信頼性が大幅に向上する。
【００３８】
さらにまた、補強板２４は機械室１２の側面よりも上方及び前方に延在した状態で、冷蔵庫本体１の側面板３、４の内側に取付けられている。
【００３９】
この構造により、側面板３、４の機械室１２に沿った部分が補強板２４によって補強され、冷蔵庫本体１の外箱７と内箱９との間に注入される断熱材１０の発泡圧力によって側面板３、４の機械室１２に沿った部分が膨出し、側面板３、４の外観を損なうことも防止できる。
【００４０】
以上、本発明の実施形態に係る冷蔵庫について説明したが、本発明は、これに限定されるものではなく、本発明の要旨を逸脱しない範囲で、種々の変更が可能である。
【符号の説明】
【００４１】
１  冷蔵庫本体
３、４  側面板
６  底板
１２  機械室
１３  凝縮器
１４  送風機
１５  圧縮機
１６  ベース板
１７  機械室カバー
２１、２２  通風用開口
２４  補強材
２８  補強用アングル
【図１】
2015001344.tif 000003
【図２】
2015001344.tif 000004
【図３】
2015001344.tif 000005
【図４】
2015001344.tif 000006